(57)【特許請求の範囲】
【請求項１】
一枚のブランクシートの箱体形成片からなり、前記箱体形成片には、互いに平行に連接され筒体に組み立てられる側面と、前記側面の一つに連接され反対側の端部の裏面に重ねて糊付けされる糊付片と、前記糊付片とは反対側の端部に位置する前記側面の内側に設けられ破断線で囲まれて前記側面のその他の部分と区切られて切り取り可能な表示部と、前記表示部が設けられた前記側面の連接方向の端部に折罫線で区切られて設けられた折返片が設けられ、
前記表示部は前記折罫線に接し、前記表示部を囲む破断線の一部は前記折罫線上に位置し、前記表示部の前記折罫線に一致する側縁部は前記表示部を外すときの摘み部となり、
前記折返片は、前記折罫線で、前記表示部が設けられた前記側面に折り返され、前記表示部以外の部分に対向する位置に糊が塗布されて糊付けされ、前記糊付片に前記折返片が糊付けされて箱体となることを特徴とする包装用箱。
【請求項２】
前記表示部には、分割用の破断線が設けられている請求項１記載の包装用箱。
【請求項３】
前記折返片と前記表示部の間に設けられた前記折罫線上に、スリットが開口して設けられ、前記表示部の前記側縁部は前記スリットの周縁部に連続し、前記スリットの周縁部に位置する前記側縁部は前記表示部を外すときの前記摘み部となる請求項１記載の包装用箱。
【請求項４】
前記包装用箱の底部は、互いに平行な一対の側面に各々連接して設けられている底蓋片と、前記底蓋片が設けられた前記側面と略９０°に位置する一対の側面に各々連接して設けられているフラップで形成され、隣接する前記底蓋片と前記フラップが糊付けされ、組立工程で各側面を筒状に引き起こす時に前記底部がワンタッチで形成され、前記表示部が設けられた前記側面には、前記フラップの一方が連接して設けられている請求項１記載の包装用箱。
【請求項５】
前記包装用箱の側面両端の上部と底部は、内蓋片と外蓋片により封止されるシールエンド型に形成され、上部側の内蓋片の端部に差込片が延設され、前記外蓋片が設けられた前記側面には、前記外蓋片を分離する開封用破断線が設けられ、前記開封用破断線を破って開封後、前記差込片により再封可能に設けられている請求項１記載の包装用箱。
【発明の詳細な説明】
【技術分野】
【０００１】
この発明は、取り外し可能な表示部が一体に設けられ、表示部には収容物に関する情報が印刷されている包装用箱に関する。
【背景技術】
【０００２】
従来、商品を収容して保管や陳列を行う包装用箱は、一般に箱体表面に収容物の名称や特性についての情報等が印刷されており、箱体表面に印刷された情報を利用するため、包装用箱の一部を情報が印刷された部分を囲んで切断して表示部として利用するものがある。
【０００３】
例えば、特許文献１に開示されている包装用箱は、連接された複数の側面から成り、そのうちの一面には破断線で囲まれた表示部が備えられ、表示部の表面には収容物についての情報を示す表示事項が印刷されている。この包装用箱は、開封して収容物を取り出した後に、破断線を切断して表示部を包装用箱から取り外して在庫の管理等に利用することができる。
【０００４】
特許文献２に開示されている包装用箱は、連接された複数の側面から成り、連接された側面の一方の端部には反対側の端部に位置する側面の表面に糊付けされる糊付片が設けられ、糊付片の一部には破断線で囲まれた表示部が備えられている。表示部の表面には収容物についての情報を示す表示事項が印刷されている。この包装用箱は、破断線を切断して表示部を包装用箱から取り外すことができ、表示部を取り外した後は糊付けされた側面が露出し、またこの側面と糊付片の糊付けされた状態が維持され、箱体が崩れたり大きく穴があいたりすることがなく、外観に違和感がなく、収容物を継続して包装することができる。
【０００５】
特許文献３に開示されている包装用箱は、連接された複数の側面から成り、連接された側面の一方の端部には反対側の端部に位置する側面に重ねられる外側片が設けられ、外側片の端部には折罫線を介して折返片が連結されている。折返片には接着剤が配されており、折返片を折罫線で折って接着剤を内側の側面側に向ける。この状態で外側片と側面を貼り合わせると、外側片と側面との間に介在する折返片が、側面の表面に貼り合わされる。これにより、外側片と側面による二重構造が完成する。外側片の一部には破断線で囲まれた表示部が備えられ、表示部の表面には収容物についての情報を示す表示事項が印刷されている。この包装用箱は、破断線を切断して表示部を包装用箱から取り外すことができ、表示部を取り外した後は糊付けされた側面が露出し、またこの側面と折返片の糊付けされた状態が維持され、箱体が崩れたり大きく穴があいたりすることがなく、外観に違和感がなく、収容物を継続して包装することができる。
【先行技術文献】
【特許文献】
【０００６】
【特許文献１】実用新案登録第３１８４６０４号公報
【特許文献２】実用新案登録第３１８４６０３号公報
【特許文献３】実用新案登録第３１７２０９９号公報
【発明の概要】
【発明が解決しようとする課題】
【０００７】
上記背景技術の場合、特許文献１は表示部を側面から取り外した後に大きく穴が開くため、収容物を継続して包装することができなかった。一方、特許文献２、特許文献３は表示部を取り外した後に糊付けされた側面が露出し、箱体が崩れたり大きく穴があいたりすることがなく、収容物を継続して包装することができる。しかし、表示部の裏側に二重構造とするために、箱体を形成する４個の側面と、表示部を有する大きい糊付片または外側面が必要であり、組立工程が面倒なものである。さらに、二重構造を持たない通常の箱体の組立工程では製造することができず、製造ラインを変更する必要があり、手間がかかるものである。また、ワンタッチで組み立てられる底構造を有する箱体には利用できないものである。
【０００８】
この発明は、上記背景技術の問題点に鑑みてなされたものであり、簡単な構造で簡単な組立工程で作ることができ、収容物を説明する表示事項が設けられた表示部を容易に取り外して在庫の管理等に利用することができ、表示部を取り外した後も継続して収容物を包装することができる包装用箱を提供することを目的とする。
【課題を解決するための手段】
【０００９】
本発明は、一枚のブランクシートから一体的に打ち抜かれた箱体形成片からなり、前記箱体形成片には、互いに平行に連接され筒体に組み立てられる側面と、前記側面の一つに連接され反対側の端部の裏面に重ねて糊付けされる糊付片と、前記糊付片とは反対側の端部に位置する前記側面の内側に設けられ破断線で囲まれて前記側面のその他の部分と区切られて切り取り可能な表示部と、前記表示部が設けられた前記側面の連接方向の端部に折罫線で区切られて設けられた折返片が設けられている包装用箱である。前記表示部の側縁部は前記折罫線に接し、前記表示部を囲む破断線の一部は前記折罫線上に位置し、前記折罫線に一致する側縁部は前記表示部を外すときの摘み部となる。前記折返片は、前記折罫線で、前記表示部が設けられた前記側面に折り返され、前記表示部以外の部分に対向する位置に糊が塗布されて糊付けされ、前記糊付片に前記折返片が糊付けされて箱体となるものである。
【００１０】
前記表示部には、分割用の破断線が設けられているものでも良い。また、前記折返片と前記表示部の間に設けられた前記折罫線上に、スリットが開口して設けられ、前記表示部の前記側縁部は前記スリットの周縁部に連続し、前記スリットの周縁部に位置する前記側縁部は前記表示部を外すときの前記摘み部となる。
【００１１】
前記包装用箱の底部は、互いに平行な一対の側面に各々連接して設けられている底蓋片と、前記底蓋片が設けられた前記側面と略９０°に位置する一対の側面に各々連接して設けられているフラップで形成され、隣接する前記底蓋片と前記フラップが糊付けされ、組立工程で各側面を筒状に引き起こす時に前記底部がワンタッチで形成されるものである。前記表示部が設けられた前記側面には、前記フラップの一方が連接して設けられている。
【００１２】
前記包装用箱の側面両端の上部と底部は、内蓋片と外蓋片により封止されるシールエンド型に形成され、上部側の内蓋片の端部に差込片が延設され、前記外蓋片が設けられた前記側面には、前記外蓋片を分離する開封用破断線が設けられ、前記開封用破断線を破って開封後、前記差込片により再封可能に設けられているものでも良い。
【００１３】
本発明の包装用箱は、前記折返片に糊を塗布して、前記折返片を前記表示部が設けられた前記側面の裏面に折り返して糊付けし、前記糊付片に糊を塗布して前記箱体形成片を三つ折りして、前記糊付片を、前記表示部が設けられた前記側面の裏面に糊付けされた前記折返片に糊付けして組み立てる。
【発明の効果】
【００１４】
本発明の包装用箱は、簡単な構造で簡単な組立工程で作ることができ、収容物を説明する表示事項が設けられた表示部を設けることができ、表示部を簡単に取り外して、在庫の管理等に利用することができる。表示部の裏側は二重構造であり、表示部を取り外した後は箱体が崩れたり大きく穴があいたりすることがなく収容物を継続して包装することができる。また、二重構造を持たない通常の箱体と同じ組立方法で組み立てられ、ワンタッチで組み立てられる底構造を有する箱体にも利用することができる。
【図面の簡単な説明】
【００１５】
【図１】この発明の第一実施形態の包装用箱の斜視図である。
【図２】この発明の第一実施形態の使用状態を示す斜視図である。
【図３】この発明の第一実施形態の包装用箱の展開図である。
【図４】この発明の第一実施形態の包装用箱の組立状態を示す展開図である。
【図５】この発明の第二実施形態の包装用箱の展開図である。
【図６】この発明の第三実施形態の包装用箱の展開図である。
【図７】この発明の第四実施形態の包装用箱の斜視図である。
【図８】この発明の第四実施形態の使用状態を示す斜視図である。
【図９】この発明の第四実施形態の包装用箱の展開図である。
【発明を実施するための形態】
【００１６】
以下、この発明の実施形態について図面に基づいて説明する。図１〜図４はこの発明の第一実施形態を示すもので、この実施形態の包装用箱１０は、紙製等の一枚のブランクシートを打ち抜いて形成された箱体形成片１２を組み立てて設けられている。
【００１７】
図３は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さは同じ長さであり、それと直交する連接方向の長さは、側面１４，１８が長くて互いに等しく、側面１６，２０が短くて互いにほぼ等しい。側面１４の側縁部には、包装用箱１０の組立状態で後述する折返片３２の表面に糊付けされる糊付片２２が設けられている。そして、糊付片２２、側面１４，１６，１８，２０は、各々折罫線２４，２６，２８，３０で区切られている。
【００１８】
側面２０の、側面１８と反対側の側縁部には、折返片３２が折罫線３４で区切られて設けられている。折返片３２は、側面２０よりも僅かに小さい矩形である。折罫線３４の中心付近には、折罫線３４に沿ってスリット３６が設けられている。
【００１９】
側面２０内には、表示部３８が設けられている。表示部３８は、側面２０の中心付近に設けられ、折罫線３０，３４に接する矩形であり、折罫線３０，折罫線３４に対して直角に交差する一対のジッパー線４０と、折罫線３０上に位置し一対のジッパー線４０の間に設けられた破断線４２と、折罫線３４上に位置するスリット３６で囲まれて、側面２０のその他の部分と区切られている。表示部３８の、折罫線３４に一致する側縁部３８ｂは、スリット３６の周縁部に連続し、表示部３８を外すときの摘み部となるものである。側縁部３８ｂは、一対のジッパー線４０に交差する部分がＶ字状に切り欠かれている。表示部３８の中心には、一対のジッパー線４０に対して平行な破断線４４が設けられ、破断線４４は一対のジッパー線４０の中心に位置し、表示部３８の側縁部３８ｂと、反対側の側縁部３８ａに達して、表示部３８を同じ大きさの２個に区切っている。表示部３８には、収容物について説明する表示事項４６が印刷されている。表示事項４６は、文字や記号等で形成され、破断線４４で区切られた２個の表示部３８に、各々必要な表示事項４６が印刷されている。
【００２０】
側面１４の、側面同士の連接方向に対して直角な方向の一対の端部には、矩形の蓋片４８が折罫線５０で区切られて設けられ、蓋片４８の折罫線５０と反対側の端部には、さらに差込片５２が折罫線５４で区切られて設けられている。側面１４の、折罫線５０と反対側の端部には、第一底蓋片５６が折罫線５８で区切られて設けられている。第一底蓋片５６の折罫線５８から折罫線５８に対して平行な端部５６ａまでの長さは、端部５６ａが包装用箱１０の組立状態で底面の中心線付近に位置する長さ、つまり側面１６，２０の半分の幅に設けられている。そして、端部５６ａの中心から折罫線２４側の部分は、端部５６ａよりも外側に幅広に形成された差込片６０となる。また、第一底蓋片５６の側面１６に近い部分には、略三角形の糊付片６２が折罫線６４で区切られて設けられ、折罫線６４は折罫線５８に対して鋭角で交差する方向に設けられている。
【００２１】
側面１６の、側面１４の折罫線５０に隣接する端部には、台形状のフラップ６６が折罫線６８で区切られて設けられている。また側面１６の、折罫線６８と反対側の端部には、略三角形状のフラップ７０が折罫線７２で区切られて設けられている。
【００２２】
側面１８の、側面１６の折罫線６８に隣接する端部１８ａは、他の部材が設けられていない。側面１８の、端部１８ａと反対側の端部には、第二底蓋片７４が折罫線７６で区切られて設けられている。第二底蓋片７４の折罫線７６から折罫線７６に対して平行な端部７４ａまでの長さは、端部７４ａが包装用箱１０の組立状態で底面の中心線付近に位置する長さ、つまり側面１６，２０の半分の幅に設けられている。そして、端部７４ａの中心から折罫線２８側の部分は、端部７４ａよりも外側に幅広に形成された差込片７８となる。また、第二底蓋片７４の側面２０に近い部分には、略三角形の糊付片８０が折罫線８２で区切られて設けられ、折罫線８２は折罫線７６に対して鋭角で交差する方向に設けられている。
【００２３】
側面２０の、側面１８の端部１８ａに隣接する端部には、台形状のフラップ８４が折罫線８６で区切られて設けられている。また側面２０の、折罫線８６と反対側の端部には、略三角形状のフラップ８８が折罫線９０で区切られて設けられている。
【００２４】
次にこの実施形態の包装用箱１０の組み立て方法について説明する。なお、ここでは図３が包装用箱１０の箱体形成片１２の表面側を見たものであり、箱体形成片１２の表面側が凸になる折り方を正折り、そして裏面側が凸になる折り方を逆折りとする。
【００２５】
まず、折返片３２の裏面に、４隅付近に糊９２を各々塗布する。そして折罫線３４を正折りして、折返片３２を側面２０の裏面に糊付けして、図４に示す状態となる。この時、糊９２は側面２０の表示部３８以外の部分に糊付けされる。
【００２６】
そして、折罫線５８，７２，７６，９０を正折りし、さらに糊付片６２の折罫線６４と糊付片８０の折罫線８２をそれぞれ逆折りする。そして、糊付片８０の裏面に糊９４を塗布し、折罫線３０を正折りする。これにより、糊付片８０の裏面がフラップ８８の表面に糊付けされる。次に、糊付片６２の裏面に糊９６を塗布し、糊付片２２の表面に糊９８を塗布し、折罫線２６を正折りする。これにより、糊付片６２の裏面はフラップ７０の表面に糊付けされ、糊付片２２の表面は側面２０に折り返された折返片３２の表面に糊付けされる。このようにして箱体形成片１２は折り畳み状態となり、この折り畳んだ状態で出荷される。
【００２７】
次に、商品を包装する工場等において立体的形状に組み立てる。まず、折罫線２４，２８を各々９０度に正折し、糊付片２２、側面１４，１６，１８，２０を四角形の筒状態にする。すると、第一底蓋片５６は側面１４からフラップ７０とともに引き起こされて折罫線５８で直角に正折りされ、同時に第二底蓋片７４は側面１８からフラップ８８とともに引き起こされて折罫線７６で直角に正折りされる。さらに第一底蓋片５６の差込片６０が第二底蓋片７４の端部７４ａの裏面側に差し込まれ、第二底蓋片７４の差込片７８が第一底蓋片５６の端部５６ａの裏面側に差し込まれ、互いに確実に係止されて底板を形成する。
【００２８】
この状態で、商品を中に入れる。そして、折罫線６８，８６でフラップ６６，８４を９０°に正折りし、その後、折罫線５０で蓋片４８を９０°に正折し、差込片５２を折罫線５４で正折りし、差込片５２を側面１８の端部１８ａから側面１８の裏面に差し込んで係止して、図１に示すように包装用箱１０を閉鎖する。
【００２９】
次に、包装用箱１０の使用方法について説明する。包装用箱１０に入れられた薬剤等の商品を棚等に置いて在庫等の管理をする場合、商品である収容物の内容を表示するために、表示部３８を切り離して、例えば棚のフレーム材の所定位置に差し入れる。切り離す方法は、まず、表示部３８の側縁部３８ｂに指をかけ、一対のジッパー線４０を切断しながら表示部３８を側面２０から引き起こし、側縁部３８ａを破断線４２で切断し、図２に示すように表示部３８が側面２０から切り離される。表示部３８は、破断線４４で２個に区分され、表示部３８を切り離してからさらに破断線４４を切断して、２個にして各々異なる場所に置いて管理を行ってもよい。また表示部３８を、ジッパー線４０、破断線４２，４４で囲まれた２分の１個のみを外し、残りの半分の表示部３８を側面２０に残して後で使用してもよい。表示部３８を切り離した後は、側面２０に開口部３９が形成され、開口部３９に折返片３２の裏面が露出して開口部３９を閉鎖し、収容されている商品を継続して包装する。
【００３０】
包装用箱１０を開封するときは、例えば端部１８ａから指を入れて差込片５２を引き上げて蓋片４８を開く。または蓋片４８の差込片５２が設けられていない側縁部を持ち上げて蓋片４８を開いてもよい。
【００３１】
この実施形態の包装用箱１０によれば、簡単な構造で簡単な組立工程で作ることができ、収容物を説明する表示事項４６が設けられた表示部３８を一体に設けることができる。表示部３８は一対のジッパー線４０と破断線４２とスリット３６で囲まれて側面２０と区切られ、ジッパー線４０と破断線４２を切断して簡単に取り外し、商品棚等に貼り付けて、在庫や商品内容の管理等を行うことができる。これにより、商品管理のミスを防ぎ、特に薬剤等の商品の使用の安全性を高めることができる。表示部３８は破断線４４で２分割することができ、２個にして各々異なる場所に置いて管理を行ったり、２分の１個のみを外し残りの半分の表示部３８を側面２０に残して後で使用したりすることができ、便利である。
【００３２】
その他、側面２０の裏面には折返片３２が糊付けされて二重構造となり、折返片３２は糊付片２２に糊付けされているため、表示部３８を外した後に開口する開口部３９に折返片３２が露出して閉鎖し、大きく穴が開いたりすることがなく、また折返片３２が糊付片２２に糊付けされた状態が維持され、箱体が壊れたり外観に違和感が生じたりすることがなく、表示部３８を外した後も収容物を継続して包装することができる。組立工程の最初に折返片３２を側面２０の裏面に折り返して糊付けするため、二重構造を持たない通常の箱体の箱体形成片と同じ形状となり、製造ラインの変更等の面倒な作業が不要で通常の組立方法で作ることができる。立体形状に組み立てられる時にワンタッチで底部が形成される構成を有するワンタッチ式の箱体でも、通常のワンタッチ式以外の箱体の組立方法でも作ることができる。
【００３３】
表示部３８の側縁部３８ｂはスリット３６の周縁部に連続し、またジッパー線４０に交差する部分がＶ字状に切り欠かれているため摘みやすく、側面１４と側面２０で形成される角部に位置し、簡単に摘まんで引き起こすことができ、表示部３８を簡単に取り外すことができる。表示部３８は、折返片３２や糊付片２２と糊付けされていないため、小さい力で外すことができる。側面２０の、表示部３８の両脇が折返片３２に糊付けされているため、折返片３２が糊付けされなくて表示部３８と折返片３２の間に隙間が生じても安定し、他の部材に不用意に引っ掛かることがない。
【００３４】
次に、この発明の第二実施形態について図５に基づいて説明する。なお、ここで、上記実施形態と同様の部材は同様の符号を付して説明を省略する。この実施形態の包装用箱１００は、紙製等の一枚のブランクシートを打ち抜いて形成された箱体形成片１０２を組み立てて設けられている。図５は、箱体形成片１０２を表面から見た展開図であり、箱体形成片１０２は側面１４，１６，１８，２０が、互いに平行に連接して形成されている。
【００３５】
側面２０内には、表示部１０４が設けられている。表示部１０４は側面２０の中心付近に設けられ、一方の側縁部１０４ｂが折罫線３４に接し、他方の側縁部１０４ａが折罫線３０に達しない大きさの矩形であり、折罫線３４に対して直角に交差する一対のジッパー線１０６と、一対のジッパー線１０６の折罫線３０側の先端に連続し折罫線３０に対して平行な破断線１０８で囲まれて、側面２０のその他の部分と区切られている。表示部１０４の、折罫線３４に一致する側縁部１０４ｂは、スリット３６の周縁部に連続し、表示部１０４を外すときの摘み部となるものである。表示部１０４の中心には、一対のジッパー線１０６に対して平行な破断線１１０が設けられ、破断線１１０は表示部１０４の側縁部１０４ｂと、反対側の側縁部１０４ａに達して、表示部１０４を同じ大きさの２個に区切っている。表示部１０４には、収容物について説明する表示事項１１２が印刷されている。表示事項１１２は、文字や記号等で形成され、破断線１１０で区切られた２個の表示部１０４に、各々必要な表示事項１１２が印刷されている。
【００３６】
この実施形態の包装用箱１００の組立方法及び使用方法は、上記実施形態と同様であり、同様の機能を有し、同様の作用効果を有する。さらに、表示部１０４が、側面２０の幅よりも狭く形成され、表示部１０４を取り外した後の開口部は折返片３２が露出して完全に閉鎖するため、穴が形成されることがない。上記実施形態の包装用箱１０は、表示部３８を取り外した開口部の折罫線３０付近は折返片３２の端部３２ａが位置してわずかに隙間が生じるが、この実施形態の包装用箱１００は表示部１０４が折罫線３０に達しない小形であるため、隙間がなく、完全に閉鎖されるものである。
【００３７】
次に、この発明の第三実施形態について図６に基づいて説明する。なお、ここで、上記実施形態と同様の部材は同様の符号を付して説明を省略する。この実施形態の包装用箱１１４は、紙製等の一枚のブランクシートを打ち抜いて形成された箱体形成片１１６を組み立てて設けられている。図６は、箱体形成片１１６を表面から見た展開図であり、箱体形成片１１６は側面１４，１６，１８，２０が、互いに平行に連接して形成されている。
【００３８】
側面２０内には、表示部１１８が設けられている。表示部１１８は側面２０のフラップ８８に隣接する部分に設けられ、折罫線３０，３４に接する矩形であり、フラップ８８との間の折罫線９０上に設けられているジッパー線１２２と、ジッパー線１２２に連続し折罫線３０上に位置する破断線１２４と、折罫線３４上に位置する破断線１２６と、破断線１２４，１２６に対して直角に連続して側面２０を横断するジッパー線１２０とで囲まれて、側面２０のその他の部分と区切られている。ジッパー線１２２と破断線１２６が交差する部分は、面取りされるように直線の切断線１２８で連結され、切断線１２８は表示部１１８を外すときに押して手がかりとし、表示部１１８の切断線１２８付近の側縁部１１８ａは摘み部となる。表示部１１８の中心には、一対のジッパー線１２０，１２２に対して平行な破断線１３０が設けられ、表示部１１８を同じ大きさの２個に区切っている。表示部１１８には、収容物について説明する表示事項１３２が印刷されている。表示事項１３２は、文字や記号等で形成され、破断線１３０で区切られた２個の表示部１１８に、各々必要な表示事項１３２が印刷されている。
【００３９】
包装用箱１１４の箱体形成片１１６の組み立て方法について説明する。折返片３２の裏面に、隣接する側面２０ｂの折罫線９０よりも折罫線８６に近い約半分の面積に糊１３４を塗布する。糊１３４は、折罫線３４に対して平行な２本の直線状に塗布され、糊１３４の折罫線９０に近い端部は、側面２０の表示部１１８よりも折罫線８６に近い位置にする。そして折罫線３４を正折りして折返片３２を側面２０の裏面に糊付けする。このとき、糊１３４は側面２０の表示部１１８以外の部分に糊付けされる。これ以降の組立方法は、上記各実施形態と同様である。
【００４０】
この実施形態の包装用箱１１４の使用方法は上記各実施形態と同様であり、同様の機能を有し、同様の作用効果を有する。さらに、表示部１１８の側縁部１１８ｂに切断線１２８が設けられているため、表示部１１８を取り外す時に側縁部１１８ｂの角部が摘みやすくなり、簡単に摘まんで引き起こして表示部１１８を簡単に取り外すことができる。表示部１１８は、側面２０の折罫線９０に隣接して設けられているため、側面２０の広い部分で長く塗布された糊１３４により折返片３２に糊付けされているため、表示部１１８を取り外した後に箱体が壊れたり大きく穴が開いたりすることがなく、収容物を継続して包装することができる。
【００４１】
次に、この発明の第四実施形態について図７〜図９に基づいて説明する。なお、ここで、上記実施形態と同様の部材は同一の符号を付して説明を省略する。この実施形態の包装用箱１３６は、再封可能なシールエンドカートン型の包装用箱であり、紙製等の一枚のブランクシートを打ち抜いて形成された箱体形成片１３８を組み立てて設けられている。図９は、箱体形成片１３８を表面から見た展開図であり、箱体形成片１３８は、側面１４，１６，１８，２０が、互いに平行に連接して形成されている。
【００４２】
側面２０内には、第二実施形態の包装用箱１００と同様に、表示部１０４が設けられている。表示部１０４は側面２０の中心付近に設けられ、一方の側縁部１０４ｂが折罫線３４に接し、他方の側縁部１０４ａが折罫線３０に達しない大きさの矩形であり、折罫線３４に対して直角に交差する一対のジッパー線１０６と、一対のジッパー線１０６の折罫線３０側の先端に連続し折罫線３０に対して平行な破断線１０８で囲まれて、側面２０のその他の部分と区切られている。表示部１０４の、折罫線３４に一致する側縁部１０４ｂは、スリット３６の周縁部に連続し、表示部１０４を外すときの摘み部となるものである。表示部１０４の中心には、一対のジッパー線１０６に対して平行な破断線１１０が設けられ、破断線１１０は表示部１０４の側縁部１０４ｂと、反対側の側縁部１０４ａに達して、表示部１０４を同じ大きさの２個に区切っている。表示部１０４には、収容物について説明する表示事項１１２が印刷されている。表示事項１１２は、文字や記号等で形成され、破断線１１０で区切られた２個の表示部１０４に、各々必要な表示事項１１２が印刷されている。
【００４３】
側面１４の、側面同士の連接方向に対して直角な方向の一方の端部には、矩形の内上蓋片１４０が折罫線１４２で区切られて設けられ、内上蓋片１４０の折罫線１４２と反対側の端部には、さらに差込片１４４が折罫線１４６で区切られて設けられている。側面２０の、折罫線１４２と反対側の端部には、矩形の内底蓋片１４８が折罫線１５０で区切られて設けられている。
【００４４】
側面１６の、側面１４の折罫線１４２に隣接する端部には、矩形のフラップ１５２が折罫線１５４で区切られて設けられている。側面１６の、折罫線１５４と反対側の端部には、矩形のフラップ１５６が折罫線１５８で区切られて設けられている。
【００４５】
側面１８の、側面１６の折罫線１５４に隣接する端部には、内上蓋片１４０よりも少し小さい台形の外上蓋片１６０が折罫線１６２で区切られて設けられている。折罫線１６２には開封用破断線１６４が設けられ、開封用破断線１６４は折罫線２８，３０に隣接する両側部分は折罫線１６２に一致し、中心部分は側面１８の中心に向ってコの字形に膨出して折罫線１６２から離れて設けられている。側面１８の、折罫線１６２と反対側の端部には、台形状の外底蓋片１６６が折罫線１６８で区切られて設けられている。
【００４６】
側面２０の、側面１８の折罫線１６２に隣接する端部には、矩形のフラップ１７０が折罫線１７２で区切られて設けられている。側面２０の、折罫線１７２と反対側の端部には、矩形のフラップ１７４が折罫線１７６で区切られて設けられている。なお、折罫線３０，１７６には、廃棄用の破断線が設けられている。
【００４７】
次に、この実施形態の包装用箱１３６の組み立て方法の一例について説明する。なお、ここでは図９が包装用箱１３６の箱体形成片１３８の表面を見たものであり、箱体形成片１３８の表面が凸になる折り方を正折り、そして裏面が凸になる折り方を逆折りと称する。
【００４８】
まず、折返片３２の裏面に、側面同士の連接方向に対して直角な方向の両端部付近に糊１７８を各々塗布する。そして、折罫線３４を正折りして、折返片３２を側面２０の裏面に糊付けする。この時、糊１７８は側面２０の表示部１０４以外の部分に糊付けされる。そして、糊付片２２の表面に糊１８０を塗布し、折罫線２６を正折りし、折罫線３０を正折りする。これにより、糊付片２２の表面は側面２０に折り返された折返片３２の表面に糊付けされ、箱体形成片１３８は折り畳み状態となり、この折り畳んだ状態で出荷される。
【００４９】
次に、商品を包装する工場等において立体的形状に組み立てる。まず、折罫線２４，２６，２８，３０を各々９０°に正折りして四角形の箱体にする。箱体の一方の端部の折罫線１５８，１７６でフラップ１５６，１７４を９０°に正折りし、折罫線１５０で内底蓋片１４８を９０°に正折りする。その後、外底蓋片１６６の裏面に糊１８２を塗布し、糊１８２は、外底蓋片１６６の折罫線１６８と反対側の端部に沿って直線状に塗布する。そして、折罫線１６８を９０°に正折りする。これにより外底蓋片１６６の裏面は内底蓋片１４８の表面に糊付けされ、底板を形成する。
【００５０】
この状態で、商品を中に入れる。そして、折罫線１５４，１７２でフラップ１５２，１７０を９０°に正折りし、折罫線１４２で内上蓋片１４０を９０°に正折りし、さらに差込片１４４を折罫線１４６で正折りして側面１８の裏面に差し込んで係止する。その後、外上蓋片１６０の裏面に糊１８４を塗布し、糊１８４は、外上蓋片１６０の折罫線１６２と反対側の端部に沿って直線状に塗布する。そして、折罫線１６２を９０°に正折りする。これにより外上蓋片１６０の裏面は内上蓋片１４０の表面に糊付けされ、蓋部を形成し、図７に示すように包装用箱１３６を閉鎖する。
【００５１】
次に、包装用箱１３６の開封方法について説明する。包装用箱１３６を開封する時は、側面１８の開封用破断線１６４の内側を押し、側面１８と外上蓋片１６０を切断する。そして側面１８から分割された外上蓋片１６０を上に持ちあげる。開封用破断線１６４の内側を押す時、側面１８の裏面に差し込まれている差込片１４４も押し込まれて側面１８との係合が解除され、外上蓋片１６０を持ち上げる時外上蓋片１６０に糊付けされた内上蓋片１４０も持ち上がり、図８に示すように開封され、中の商品を取り出すことができる。商品の一部を使用した後に、残りの商品を再び包装用箱１３６に入れて保管するときは、折罫線１４２で内上蓋片１４０を９０°に正折りし、さらに差込片１４４を折罫線１４６で正折りして側面１８の裏面に差し込んで係止し、再封することができる。
【００５２】
この実施形態の包装用箱１３６の使用方法は上記各実施形態と同様であり、同様の機能を有し、同様の作用効果を有し、図８に示すように表示部１０４を切り離して使用することができる。さらに、確実に開口部を封止することができ、開封する時は簡単に開けることができる。また再封機能を有し、商品の一部を再び保管することができ便利である。
【００５３】
なお、この発明は上記各実施形態に限定されるものではなく、各側面や表示部の、大きさや形状など自由に変更可能であり、箱体の底部の構造等も自由に変更可能でありワンタッチ式以外の底部の箱体にも使用することができる。側面の内側の、表示部の位置は自由に変更可能であり、折返片のスリットはあってもなくてもよい。表示部を囲む各ジッパー線は、ミシン目状の破断線や、ブランクシートの厚みの半分を切断した半切り線等でもよく、円滑に切断できるものであればよい。折返片と側面の間の折罫線は、半切り線でもよい。折返片に塗布する糊の形状は自由に変更可能であり、折り返したときに表示部に付かないものであればよい。また、表示部は分割できるものでも、出来ないものでもよく、表示部を切り取った後に見える面に、必要な印刷が入ったものでもよい。
【符号の説明】
【００５４】
１０，１００，１１４，１３６  包装用箱
１２，１０２，１１６，１３８  箱体形成片
１４，１６，１８，２０  側面
２２  糊付片
３２  折返片
３４  折罫線
３６  スリット
３８，１０４，１１８  表示部
３８ｂ，１０４ｂ，１１８ａ  側縁部
４０，１０６，１２０，１２２  ジッパー線
４２，４４，１０８，１１０，１２４，１３０  破断線
４６，１１２，１３２  表示事項
５６  第一底蓋片
７０，８８  フラップ
７４  第二底蓋片
９２，９６，８０，９８，１３４  糊
【図１】
0006522302.tif 000002
【図２】
0006522302.tif 000003
【図３】
0006522302.tif 000004
【図４】
0006522302.tif 000005
【図５】
0006522302.tif 000006
【図６】
0006522302.tif 000007
【図７】
0006522302.tif 000008
【図８】
0006522302.tif 000009
【図９】
0006522302.tif 000010